(57)【要約】　　　（修正有）【課題】宛先選択時のユーザの負担を軽減することができる通信端末装置を提供する。【解決手段】電話帳に宛先を登録するにあたり、通信端末装置は複数の通信機能に対応した電話帳記憶手段と目的別通信機能登録手段を備え，ユーザが宛先と接続目的を入力すると接続形態を１つ以上表示し、それを選択できるようにする。【効果】ユーザが所望する通信形態に対応した宛先情報を迅速に選択することができるので、ユーザの操作が非常に簡便なものとなり、また、ユーザの誤操作を抑制することができるという効果を得る。【選択図】　　　　図１
2004140490.tif 000002
【特許請求の範囲】
【請求項１】
複数種類の通信機能を備えた通信端末装置において、
宛先ごとに、上記複数の通信機能に対応した複数の宛先情報を任意個数登録した電話帳記憶手段と、
複数の接続目的に応じた１つ以上の通信機能を登録した目的別通信機能登録手段を備え、
宛先指定操作時には、接続目的を入力させ、その入力された接続目的に対応した１つ以上の通信機能を上記目的別通信機能登録手段より読み出し、指定された宛先について、その読み出した１つ以上の通信機能に対応した宛先情報を上記電話帳記憶手段より読み出して、宛先指定操作画面に表示して選択させることを特徴とする通信端末装置。
【請求項２】
複数種類の通信機能を備えた通信端末装置において、
宛先ごとに、上記複数の通信機能に対応した複数の宛先情報を任意個数登録した電話帳記憶手段と、
複数の接続目的に応じた１つ以上の通信機能を登録した目的別通信機能登録手段を備え、
宛先指定操作時には、指定された宛先について上記電話帳記憶手段に記憶された１つ以上の宛先情報を読み出す一方、接続目的を入力させ、その入力された接続目的に対応した１つ以上の通信機能を上記目的別通信機能登録手段より読み出し、上記読み出した１つ以上の宛先情報のうち、上記読み出した１つ以上の通信機能に対応した宛先情報のみを選択し、宛先指定操作画面に表示して選択させることを特徴とする通信端末装置。
【請求項３】
複数種類の通信機能を備えた通信端末装置において、
宛先ごとに、上記複数の通信機能に対応した複数の宛先情報を任意個数登録した電話帳記憶手段と、
複数の接続目的に応じた１つ以上の通信機能を登録した目的別通信機能登録手段を備え、
宛先指定操作時には、指定された宛先について上記電話帳記憶手段に記憶された１つ以上の宛先情報を読み出す一方、接続目的を入力させ、その入力された接続目的に対応した１つ以上の通信機能を上記目的別通信機能登録手段より読み出し、上記読み出した１つ以上の宛先情報のうち、上記読み出した１つ以上の通信機能に対応した宛先情報があるかないかを調べ、ある場合にはその宛先情報を宛先指定操作画面に表示して選択させ、ない場合には目的の宛先情報がない旨を表示することを特徴とする通信端末装置。
【請求項４】
複数種類の通信機能を備えた通信端末装置において、
宛先ごとに、上記複数の通信機能に対応した複数の宛先情報を任意個数登録した電話帳記憶手段と、
複数の接続目的に応じた１つ以上の通信機能を登録した目的別通信機能登録手段を備え、
宛先指定操作時には、指定された宛先について上記電話帳記憶手段に記憶された１つ以上の宛先情報を読み出す一方、接続目的を入力させ、その入力された接続目的に対応した１つ以上の通信機能を上記目的別通信機能登録手段より読み出し、上記読み出した１つ以上の宛先情報のうち、上記読み出した１つ以上の通信機能に対応した宛先情報があるかないかを調べ、ある場合にはその宛先情報を宛先指定操作画面に表示して選択させ、ない場合には目的の宛先情報がない旨を表示するとともに他の通信機能を選択要求する旨を表示することを特徴とする通信端末装置。
【請求項５】
複数種類の通信機能を備えた通信端末装置において、
宛先ごとに、上記複数の通信機能に対応した複数の宛先情報を任意個数登録した電話帳記憶手段と、
複数の接続目的に応じた１つ以上の通信機能を、あらかじめ設定された優先順位に従って登録した目的別通信機能登録手段を備え、
宛先指定操作時には、指定された宛先について上記電話帳記憶手段に記憶された１つ以上の宛先情報を読み出す一方、接続目的を入力させ、その入力された接続目的に対応した１つ以上の通信機能を上記目的別通信機能登録手段より読み出し、上記読み出した１つ以上の宛先情報のうち、上記読み出した１つ以上の通信機能に対応した宛先情報のみを選択し、上記優先順位に従った表示順位で宛先指定操作画面に表示して選択させることを特徴とする通信端末装置。
【発明の詳細な説明】
【０００１】
【発明の属する技術分野】
本発明は、複数種類の通信機能を備えた通信端末装置に関する。
【０００２】
【従来の技術】
近年、ファクシミリ装置の通信形態が多様化しており、例えば、アナログ公衆電話回線網ＰＳＴＮに接続する通信手段のみならず、ローカルエリアネットワーク等のネットワークへ接続する通信手段を備え、ＩＴＵ−Ｔ勧告Ｔ．３７，Ｔ．３８に準拠したネットワーク通信機能を備えたものも実用化されている。
【０００３】
このように、複数種類の通信機能を備えたファクシミリ装置では、宛先選択時にどの通信機能を使用するかユーザが指定する必要がある。このような通信機能の指定については、例えば、１つの宛先について、複数の通信機能に対応した宛先情報を登録しておき、ユーザの宛先選択操作時に表示させる画面上で、いずれかの通信機能を選択させる方法がある（特許文献１参照）。
【０００４】
【特許文献１】特開２００１−０６９２２６号公報
【０００５】
【発明が解決しようとする課題】
しかしながら、このような従来装置には、ユーザが接続目的に応じた適切な通信機能を指定する必要があり、ユーザの負担が増えるという実情があった。
【０００６】
本発明は、かかる実情に鑑みてなされたものであり、宛先選択時のユーザの負担を軽減することができる通信端末装置を提供することを目的としている。
【０００７】
【課題を解決するための手段】
本発明は、複数種類の通信機能を備えた通信端末装置において、宛先ごとに、上記複数の通信機能に対応した複数の宛先情報を任意個数登録した電話帳記憶手段と、複数の接続目的に応じた１つ以上の通信機能を登録した目的別通信機能登録手段を備え、宛先指定操作時には、接続目的を入力させ、その入力された接続目的に対応した１つ以上の通信機能を上記目的別通信機能登録手段より読み出し、指定された宛先について、その読み出した１つ以上の通信機能に対応した宛先情報を上記電話帳記憶手段より読み出して、宛先指定操作画面に表示して選択させるようにしたものである。
【０００８】
また、複数種類の通信機能を備えた通信端末装置において、宛先ごとに、上記複数の通信機能に対応した複数の宛先情報を任意個数登録した電話帳記憶手段と、複数の接続目的に応じた１つ以上の通信機能を登録した目的別通信機能登録手段を備え、宛先指定操作時には、指定された宛先について上記電話帳記憶手段に記憶された１つ以上の宛先情報を読み出す一方、接続目的を入力させ、その入力された接続目的に対応した１つ以上の通信機能を上記目的別通信機能登録手段より読み出し、上記読み出した１つ以上の宛先情報のうち、上記読み出した１つ以上の通信機能に対応した宛先情報のみを選択し、宛先指定操作画面に表示して選択させるようにしたものである。
【０００９】
また、複数種類の通信機能を備えた通信端末装置において、宛先ごとに、上記複数の通信機能に対応した複数の宛先情報を任意個数登録した電話帳記憶手段と、複数の接続目的に応じた１つ以上の通信機能を登録した目的別通信機能登録手段を備え、宛先指定操作時には、指定された宛先について上記電話帳記憶手段に記憶された１つ以上の宛先情報を読み出す一方、接続目的を入力させ、その入力された接続目的に対応した１つ以上の通信機能を上記目的別通信機能登録手段より読み出し、上記読み出した１つ以上の宛先情報のうち、上記読み出した１つ以上の通信機能に対応した宛先情報があるかないかを調べ、ある場合にはその宛先情報を宛先指定操作画面に表示して選択させ、ない場合には目的の宛先情報がない旨を表示するようにしたものである。
【００１０】
また、複数種類の通信機能を備えた通信端末装置において、宛先ごとに、上記複数の通信機能に対応した複数の宛先情報を任意個数登録した電話帳記憶手段と、複数の接続目的に応じた１つ以上の通信機能を登録した目的別通信機能登録手段を備え、宛先指定操作時には、指定された宛先について上記電話帳記憶手段に記憶された１つ以上の宛先情報を読み出す一方、接続目的を入力させ、その入力された接続目的に対応した１つ以上の通信機能を上記目的別通信機能登録手段より読み出し、上記読み出した１つ以上の宛先情報のうち、上記読み出した１つ以上の通信機能に対応した宛先情報があるかないかを調べ、ある場合にはその宛先情報を宛先指定操作画面に表示して選択させ、ない場合には目的の宛先情報がない旨を表示するとともに他の通信機能を選択要求する旨を表示するようにしたものである。
【００１１】
また、複数種類の通信機能を備えた通信端末装置において、宛先ごとに、上記複数の通信機能に対応した複数の宛先情報を任意個数登録した電話帳記憶手段と、複数の接続目的に応じた１つ以上の通信機能を、あらかじめ設定された優先順位に従って登録した目的別通信機能登録手段を備え、宛先指定操作時には、指定された宛先について上記電話帳記憶手段に記憶された１つ以上の宛先情報を読み出す一方、接続目的を入力させ、その入力された接続目的に対応した１つ以上の通信機能を上記目的別通信機能登録手段より読み出し、上記読み出した１つ以上の宛先情報のうち、上記読み出した１つ以上の通信機能に対応した宛先情報のみを選択し、上記優先順位に従った表示順位で宛先指定操作画面に表示して選択させるようにしたものである。
【００１２】
【発明の実施の形態】
以下、添付図面を参照しながら、本発明の実施の形態を詳細に説明する。
【００１３】
図１は、本発明の一実施例にかかるファクシミリ装置の一例を示している。このファクシミリ装置は、アナログ公衆回線網ＰＳＴＮに接続してグループ３ファクシミリ通信を行うグループ３ファクシミリ通信機能、デジタル公衆回線網ＩＳＤＮに接続してグループ４ファクシミリ通信を行うグループ４ファクシミリ通信機能、ローカルエリアネットワークあるいはインターネット等のネットワークへ接続してＩＴＵ−Ｔ勧告Ｔ．３７，Ｔ．３８に準拠した通信機能によりファクシミリ通信を行うＴ．３７通信機能およびＴ．３８通信機能を備えている。
【００１４】
同図において、システム制御部１は、このファクシミリ装置の各部の制御処理等を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１５】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１６】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１７】
ＰＳＴＮ伝送制御部１０は、このファクシミリ装置をアナログ公衆回線網ＰＳＴＮに接続してグループ３ファクシミリ通信を行うグループ３ファクシミリ通信機能を実現するためのものであり、ＩＳＤＮ伝送制御部１１は、このファクシミリ装置をデジタル公衆回線網ＩＳＤＮに接続してグループ４ファクシミリ通信を行うグループ４ファクシミリ通信機能を実現するためのものである。
【００１８】
ネットワークインターフェース回路１２は、このファクシミリ装置をローカルエリアネットワークあるいはインターネット等のネットワークへ接続するものであり、Ｔ．３７通信制御部１３は、ネットワークを介して、ＩＴＵ−Ｔ勧告Ｔ．３７に準拠した通信機能によりファクシミリ通信を行うＴ．３７通信機能を実現するためのものであり、Ｔ．３８通信制御部１４は、ネットワークを介して、ＩＴＵ−Ｔ勧告Ｔ．３８に準拠した通信機能によりファクシミリ通信を行うＴ．３８通信機能を実現するためのものである。
【００１９】
これらの、システム制御部１、システムメモリ２、パラメータメモリ３、時計回路４、スキャナ５、プロッタ６、操作表示部７、符号化復号化部８、画像蓄積装置９、ＰＳＴＮ伝送制御部１０、ＩＳＤＮ伝送制御部１１、ネットワークインターフェース回路１２、Ｔ．３７通信制御部１３、および、Ｔ．３８通信制御部１４は、内部バス１５に接続されており、これらの各要素間でのデータのやりとりは、主としてこの内部バス１５を介して行われている。
【００２０】
また、本実施例では、図２（ａ）に示したように、それぞれの宛先について宛先情報を登録した電話帳テーブルを形成して保存している。また、それぞれの宛先情報は、同図（ｂ）に示すように、宛先名称、グループ３ファクシミリ通信機能で参照される宛先情報であるＧ３ＦＡＸ番号、グループ４ファクシミリ通信機能で参照される宛先情報であるＧ４ＦＡＸ番号、Ｔ．３７通信機能で参照される宛先情報である電子メールアドレス１，２、Ｔ．３８通信機能で参照される宛先情報であるＩＰファクス番号（ＩＰアドレス）、および、その宛先についてのメモ情報からなる。
【００２１】
また、本実施例では、電話帳テーブルの１つの宛先情報に複数の宛先要素を含むので、ユーザが宛先要素を迅速に指定できるようにするために、ユーザの通信目的に基づいて宛先要素を選択できるようにしている。
【００２２】
通信目的としては、例えば、通信種別、あるいは、ユーザが所望する通信形態から選択できるようにする。
【００２３】
例えば、図３（ａ）に示すように、通信種別の目的別テーブルＡまたは、図４（ａ）に示すように通信形態の目的別テーブルＢを備える。
【００２４】
目的別テーブルＡには、ファクシミリ通信、電子メール通信、ＩＰファクス通信の３種類の通信種別を登録し、それぞれの通信種別について宛先要素の優先順位として、同図（ｂ），（ｃ），（ｄ）に示すように設定する。
【００２５】
すなわち、通信種別がファクシミリ通信の場合には、「ＩＰファクス番号」、「Ｇ４ＦＡＸ番号」、「Ｇ３ＦＡＸ番号」の順に優先順位を設定する。また、通信種別が電子メールの場合には、「電子メールアドレス１」、「電子メールアドレス２」の順に優先順位を設定する。また、通信種別がＩＰファクス通信の場合には、選択肢が１つのみであるので「ＩＰファクス番号」のみを設定する。
【００２６】
また、目的別テーブルＢには、安全に通信を希望する通信形態である「安全性」と、高速通信を希望する通信形態である「高速性」の２つを登録する。通信形態が「安全性」の場合には、図４（ｂ）に示すように、「ＩＰファクス番号」、「Ｇ４ＦＡＸ番号」、「Ｇ３ＦＡＸ番号」の順に優先順位を設定する。また、通信形態が「高速性」の場合には、同図（ｃ）に示すように「ＩＰファクス番号」、「Ｇ４ＦＡＸ番号」、「Ｇ３ＦＡＸ番号」、「電子メールアドレス１」、「電子メールアドレス２」の順に優先順位を設定する。
【００２７】
以上の構成で、宛先選択操作時の動作の一例を次に説明する。
【００２８】
まず、待機中の操作表示部７の表示画面には、図５（ａ）に示すような待機中画面が表示されており、その状態から、「接続目的」を外部キー等の操作で「安全に紙に印刷（安全性）」を指定し、スキャナ５に送信原稿をセットし、ワンタッチダイアルの「０１」を選択すると、例えば、同図（ｂ）に示すように表示画面が切り替わる。
【００２９】
この状態では、中止はストップキー（図示略）を操作すればよく、ＯＫはスタートキーまたは次の宛先選択操作（ワンタッチダイアル等の操作）すればよい。
【００３０】
ここで、例えば、次の宛先を選択するために、ワンタッチダイアルの「０２」を操作すると、同図（ｃ）に示すように表示画面が切り替わる。この場合は、ワンタッチダイアル「０２」に登録されている宛先要素が「電子メールアドレス１」と「電子メールアドレス２」のみである場合には、目的別テーブルＢの「安全性」の項目には、優先順位テーブルに「電子メールアドレス１」および「電子メールアドレス２」が含まれていないので（図４（ｂ）参照）、「目的にある接続条件がありません」というガイダンスメッセージが表示され、さらに、操作ガイドとして「この宛先は使わない」という内容が、本来は宛先情報が表示される表示ラインに表示される。
【００３１】
この状態で、画面の下矢印のシンボルを選択操作すると、同図（ｄ）に示すような画面が表示され、その状態で、「ＯＫキー」（図示略）を操作すると、同図（ｅ）に示すような画面が表示される。
【００３２】
また、宛先選択操作時の動作の他の例を次に説明する。
【００３３】
まず、待機中の操作表示部７の表示画面には、図６（ａ）に示すような待機中画面が表示されており、その状態から、「接続目的」を外部キー等の操作で「安全に紙に印刷（安全性）」を指定し、スキャナ５に送信原稿をセットし、ワンタッチダイアルの「０１」を選択すると、例えば、同図（ｂ）に示すように表示画面が切り替わる。
【００３４】
この状態では、中止はストップキー（図示略）を操作すればよく、ＯＫはスタートキーまたは次の宛先選択操作（ワンタッチダイアル等の操作）すればよい。
【００３５】
ここで、例えば、次の宛先を選択するために、ワンタッチダイアルの「０２」を操作すると、同図（ｃ）に示すように表示画面が切り替わる。この場合は、ワンタッチダイアル「０２」に登録されている宛先名称が「ＡＢＣ商事カスタマーＳＳ」であり、宛先要素が「電子メールアドレス１」と「電子メールアドレス２」のみであるとすると、目的別テーブルＢの「安全性」の項目には、優先順位テーブルに「電子メールアドレス１」および「電子メールアドレス２」が含まれていないので（図４（ｂ）参照）、「目的にある接続条件がありません」というガイダンスメッセージを数秒間表示し、同図（ｂ）の表示に復帰する。この場合には、当該宛先について選択操作を禁止する。
【００３６】
また、宛先操作時の動作のさらに他の例を次に説明する。
【００３７】
まず、待機中の操作表示部７の表示画面には、図６（ａ）に示すような待機中画面が表示されており、ユーザがスキャナ５に送信原稿をセットし、ワンタッチダイアルの「０１」を選択すると、同図（ｂ）示すように表示画面が切り替わる。この場合、「接続選択」を操作することで、限定することもできる。また、「拡張送信」を操作することで、接続可能なすべての通信機能から選択できるようにすることもできる。
【００３８】
この状態から、「接続目的」を外部キー等で操作すると、同図（ｃ）に示すように、接続目的を選択する画面となり、この内容は、スクロールして、同図（ｄ）の状態にすることができる。この場合の接続目的の種類は、３種類となる。
【００３９】
同図（ｄ）の状態で、「ＯＫキー」（図示略）を操作すると、同図（ｅ）に示すような画面が表示される。
【００４０】
このようにして、本実施例では、おのおのの宛先について、登録されている宛先情報を、接続目的に応じて、ユーザが迅速に、所望する通信機能に対応したものを選択することができるので、ユーザの操作が非常に簡便なものとなり、また、ユーザの誤操作を抑制することができる。
【００４１】
図８は、宛先選択時の処理の一例を示している。
【００４２】
まず、宛先情報を表示して（処理１０１）、利用目的キー、スクロールキー、中止キー、決定キーのいずれかが操作されることを監視する（判断１０２，１０３，１０４，１０５のＮＯループ）。
【００４３】
利用目的キーが操作された場合で、判断１０２の結果がＹＥＳになるときには、目的決定処理を行ってユーザが所望する通信目的を決定し（処理１０６）、決定した内容を通知し（処理１０７）、判断１０２へ戻る。
【００４４】
また、スクロールキーが操作された場合で、判断１０３の結果がＹＥＳになるときには、そのときに指示している内容を移動し（処理１０８）、判断１０２へ戻る。
【００４５】
また、中止キーが操作された場合で、判断１０４の結果がＹＥＳになるときには、それまでに選択された宛先情報を無効化し（処理１０９）、次の処理へと進む。
【００４６】
また、決定キーが操作された場合で、判断１０５の結果がＹＥＳになるときには、そのときに選択されている宛先情報を保持して、次の処理へと進む。
【００４７】
図９は、宛先選択時の処理の他の例を示している。
【００４８】
まず、宛先情報を表示して（処理２０１）、利用目的キー、スクロールキー、中止キー、決定キーのいずれかが操作されることを監視する（判断２０２，２０３，２０４，２０５のＮＯループ）。
【００４９】
利用目的キーが操作された場合で、判断２０２の結果がＹＥＳになるときには、目的決定処理を行ってユーザが所望する通信目的を決定し（処理２０６）、決定した目的に対応した宛先要素があるかどうかを調べ（判断２０７）、判断２０７の結果がＹＥＳになる場合には、その内容を通知し（処理２０８）、判断２０２へ戻る。
【００５０】
また、判断２０７の結果がＮＯになるときには、警告を通知し（処理２０９）、選択された宛先情報を無効化し（処理２１０）、次の処理へと進む。
【００５１】
また、スクロールキーが操作された場合で、判断２０３の結果がＹＥＳになるときには、そのときに指示している内容を移動し（処理２１１）、判断２０２へ戻る。
【００５２】
また、中止キーが操作された場合で、判断２０４の結果がＹＥＳになるときには、処理２１０へ進んで、それまでに選択された宛先情報を無効化し、次の処理へと進む。
【００５３】
また、決定キーが操作された場合で、判断２０５の結果がＹＥＳになるときには、そのときに選択されている宛先情報を保持して、次の処理へと進む。
【００５４】
図１０は、宛先選択時の処理のさらに他の例を示している。
【００５５】
まず、宛先情報を表示して（処理３０１）、利用目的キー、スクロールキー、中止キー、決定キーのいずれかが操作されることを監視する（判断３０２，３０３，３０４，３０５のＮＯループ）。
【００５６】
利用目的キーが操作された場合で、判断３０２の結果がＹＥＳになるときには、目的決定処理を行ってユーザが所望する通信目的を決定し（処理３０６）、決定した目的に対応した宛先要素があるかどうかを調べ（判断３０７）、判断３０７の結果がＹＥＳになる場合には、その内容を通知し（処理３０８）、判断３０２へ戻る。
【００５７】
また、判断３０７の結果がＮＯになるときには、警告を通知し（処理３０９）、判断３０２へ戻る。
【００５８】
また、スクロールキーが操作された場合で、判断３０３の結果がＹＥＳになるときには、そのときに指示している内容を移動し（処理３１０）、判断３０２へ戻る。
【００５９】
また、中止キーが操作された場合で、判断３０４の結果がＹＥＳになるときには、それまでに選択された宛先情報を無効化し（処理３１１）、次の処理へと進む。
【００６０】
また、決定キーが操作された場合で、判断３０５の結果がＹＥＳになるときには、そのときに選択されている宛先情報を保持して、次の処理へと進む。
【００６１】
図１１は、宛先選択時の別な例を示している。
【００６２】
まず、宛先情報を表示して（処理４０１）、利用目的の設定がされたかどうかを調べ（判断４０２）、判断４０２の結果がＮＯになるときには、スクロールキー、中止キー、決定キーのいずれかが操作されることを監視する（判断４０３，４０４，４０５のＮＯループ）。また、判断４０２の結果がＹＥＳになるときには、設定された利用目的の内容を表示して（処理４０６）、判断４０３へ進む。
【００６３】
また、スクロールキーが操作された場合で、判断４０３の結果がＹＥＳになるときには、そのときに指示している内容を移動し（処理４０７）、判断４０３へ戻る。
【００６４】
また、中止キーが操作された場合で、判断４０４の結果がＹＥＳになるときには、それまでに選択された宛先情報を無効化し（処理４０８）、次の処理へと進む。
【００６５】
また、決定キーが操作された場合で、判断４０５の結果がＹＥＳになるときには、そのときに選択されている宛先情報を保持して、次の処理へと進む。
【００６６】
図１２は、宛先選択時のさらに別な例を示している。
【００６７】
まず、宛先情報を表示して（処理５０１）、利用目的の設定がされたかどうかを調べ（判断５０２）、判断５０２の結果がＮＯになるときには、スクロールキー、中止キー、決定キーのいずれかが操作されることを監視する（判断５０３，５０４，５０５のＮＯループ）。また、判断５０２の結果がＹＥＳになるときには、設定された利用目的の内容が当該宛先に含まれているかどうかを調べ（判断５０６）、判断５０６の結果がＹＥＳになるときには、利用目的の内容を表示して（処理５０７）、判断５０３へ進む。また、判断５０６の結果がＮＯになるときには、警告を通知し（処理５０８）、選択された宛先情報を無効化し（処理５０９）、次の処理へと進む。
【００６８】
また、スクロールキーが操作された場合で、判断５０３の結果がＹＥＳになるときには、そのときに指示している内容を移動し（処理５１０）、判断５０３へ戻る。
【００６９】
また、中止キーが操作された場合で、判断５０４の結果がＹＥＳになるときには、処理５０９へ進み、それまでに選択された宛先情報を無効化し、次の処理へと進む。
【００７０】
また、決定キーが操作された場合で、判断５０５の結果がＹＥＳになるときには、そのときに選択されている宛先情報を保持して、次の処理へと進む。
【００７１】
図１３は、宛先選択時のまたさらに別な例を示している。
【００７２】
まず、宛先情報を表示して（処理６０１）、利用目的の設定がされたかどうかを調べ（判断６０２）、判断６０２の結果がＮＯになるときには、スクロールキー、中止キー、決定キーのいずれかが操作されることを監視する（判断６０３，６０４，６０５のＮＯループ）。また、判断６０２の結果がＹＥＳになるときには、設定された利用目的の内容が当該宛先に含まれているかどうかを調べ（判断６０６）、判断６０６の結果がＹＥＳになるときには、利用目的の内容を表示して（処理６０７）、判断６０３へ進む。また、判断６０６の結果がＮＯになるときには、警告を通知して（処理６０８）、判断６０３へ戻る。
【００７３】
また、スクロールキーが操作された場合で、判断６０３の結果がＹＥＳになるときには、そのときに指示している内容を移動し（処理６０９）、判断６０３へ戻る。
【００７４】
また、中止キーが操作された場合で、判断６０４の結果がＹＥＳになるときには、それまでに選択された宛先情報を無効化し（処理６１０）、次の処理へと進む。
【００７５】
また、決定キーが操作された場合で、判断６０５の結果がＹＥＳになるときには、そのときに選択されている宛先情報を保持して、次の処理へと進む。
【００７６】
なお、複数宛先を利用する場合、接続目的は共通の場合が多いので、一度利用されたら次ぎの宛先からはその目的に一致する接続情報を検索し表示させてもよい。
【００７７】
【発明の効果】
以上説明したように、本発明によれば、おのおのの宛先について、登録されている宛先情報を、接続目的に応じて、ユーザが迅速に、所望する通信機能に対応したものを選択することができるので、ユーザの操作が非常に簡便なものとなり、また、ユーザの誤操作を抑制することができるという効果を得る。
【図面の簡単な説明】
【図１】本発明の一実施例にかかるファクシミリ装置の一例を示したブロック図。
【図２】電話帳テーブルの一例を示した概略図。
【図３】通信種別の目的別テーブルＡの一例を示した概略図。
【図４】通信形態の目的別テーブルＢの一例を示した概略図。
【図５】宛先選択操作時の動作の一例を示した概略図。
【図６】宛先選択操作時の動作の他の例を示した概略図。
【図７】宛先選択操作時の動作のさらに他の例を示した概略図。
【図８】宛先選択時の処理の一例を示したフローチャート。
【図９】宛先選択時の処理の他の例を示したフローチャート。
【図１０】宛先選択時の処理のさらに他の例を示したフローチャート。
【図１１】宛先選択時の別な例を示したフローチャート。
【図１２】宛先選択時のさらに別な例を示したフローチャート。
【図１３】宛先選択時のまたさらに別な例を示したフローチャート。
【符号の説明】
１　システム制御部
２　システムメモリ
１０　ＰＳＴＮ伝送制御部
１１　ＩＳＤＮ伝送制御部
１３　Ｔ．３７通信制御部
１４　Ｔ．３８通信制御部
【図１】
2004140490.tif 000003
【図２】
2004140490.tif 000004
【図３】
2004140490.tif 000005
【図４】
2004140490.tif 000006
【図５】
2004140490.tif 000007
【図６】
2004140490.tif 000008
【図７】
2004140490.tif 000009
【図８】
2004140490.tif 000010
【図９】
2004140490.tif 000011
【図１０】
2004140490.tif 000012
【図１１】
2004140490.tif 000013
【図１２】
2004140490.tif 000014
【図１３】
2004140490.tif 000015